(57)【特許請求の範囲】
【請求項１】
１個の成形体からなり、この成形体は、少なくとも１対の略平行する対向平面を有する略直方体をなし、この対向平面を除く上下左右周面に前記対向平面と交差する方向に互いに平行して形成された溝を有し、この成形体の内部には、前記各溝ごとに前記対向平面に平行して当該溝を取り囲むように形成された貫通穴が、前記対向する溝の貫通穴同士で略平行となるようにそれぞれ設けられ、前記貫通穴に刺し通した結束バンドで当該溝に載置されたケーブルを固定するようにしたことを特徴とするケーブル保持具。
【発明の詳細な説明】
【０００１】
【発明の属する技術分野】
本発明は、ケーブル保持具に関し、特にプリント回路基板や筐体などの固定面に結束バンドを用いて電線などのケーブルを固定するケーブル保持具に関するものである。
【０００２】
【従来の技術】
一般に、電気機器などでは、電線ケーブルをプリント回路基板や筐体に固定する場合、例えばインシュロック結束システムを用いたケーブルバンドなどの結束バンドで複数の電線を結束し、ケーブル保持具でプリント回路基板の部品実装面や半田面、あるいは筐体壁面などの固定面に固定するものとなっている。
従来、この種のケーブル保持具としては、図８に示すような、ケーブル保持具６Ａ，６Ｂが用いられている。このケーブル保持具６Ａ，６Ｂは基台６の上部左右に結束バンド７０用の掛止穴６１，６２を有し、基台６の中央には固定用の取り付け穴６３が設けられている。
【０００３】
電線８０をプリント回路基板などの固定面９０へ固定する際には、まずケーブル保持具６Ａ，６Ｂがその取り付け穴６３を用いて固定面９０へネジ止めされる。続いて、結束バンド７０をケーブル保持具６Ａ，６Ｂの掛止穴６１，６２に通し、電線８０を結束する。これにより、電線８０が結束バンド７０によりケーブル保持具６Ａ，６Ｂに固定され、結果として固定面９０に固定される。
【０００４】
【発明が解決しようとする課題】
しかしながら、このような従来のケーブル保持具では、複数本の電線を同一のケーブル保持具で固定する場合でも、すべての電線を１本の結束バンドで一カ所で一括して固定せざるを得ず、固定が不安定となったり、１つのケーブル保持具で多くの電線を固定できないという問題点があった。また、異なる系統の電線を別々の作業で順に固定できず作業負担が大きいという問題点があった。
本発明はこのような課題を解決するためのものであり、１つのケーブル保持具で複数の電線を作業負担なく容易かつ安定して固定できるケーブル保持具を提供することを目的としている。
【０００５】
【課題を解決するための手段】
このような目的を達成するために、本発明にかかるケーブル保持具は、１個の成形体からなり、この成形体は、少なくとも１対の略対向平面を有する略直方体をなし、この対向平面を除く上下左右周面に対向平面と交差する方向に互いに平行して形成された溝を有し、この成形体の内部には、各溝ごとに対向平面に平行して当該溝を取り囲むように形成された貫通穴が、対向する溝の貫通穴同士で略平行となるようにそれぞれ設けられ、貫通穴に刺し通した結束バンドで当該溝に載置されたケーブルを固定するようにしたものである。
【０００７】
【発明の実施の形態】
次に、本発明の実施の形態について図面を参照して説明する。
図１は本発明の一実施の形態にかかるケーブル保持具（正立使用状態）の斜視図、図２は構成図（正立使用状態での正面図、平面図、底面図および側面図）、図３は正立使用状態での断面図、図４は正立使用状態での斜視図、図５は倒立使用状態での断面図、図６は空中使用状態での断面図である。以下では、インシュロック結束システムなどの結束バンド（ケーブルバンド）を用いて、プリント回路基板の部品実装面や半田面、あるいは筐体壁面などの固定面に電線ケーブルを結束して固定する場合を例として説明する。
【０００８】
同図において、ケーブル保持具１０は、絶縁性樹脂（例えば、６６ナイロンなどのナイロン樹脂など）や金属からなる成形体であり、全体として略直方体をなし、その側面に少なくとも１対の略平行する対向平面１Ａ，１Ｂと、この対向平面１Ａ，１Ｂを除く上下左右の周面に電線など線状のケーブルを載置して保持するための凹部、ここでは４個の溝１１Ａ〜１１Ｄを有している。溝１１Ａ〜１１Ｄは、対向平面１Ａ，１Ｂと交差する方向（直交方向）に互いに平行して形成されている。
この成形体の内部には、各溝１１Ａ〜１１Ｄごとに、対向平面１Ａ，１Ｂに平行して当該溝を取り囲むように、それぞれの溝の裏側を通って形成された貫通穴１３Ａ〜１３Ｄがそれぞれ設けられている。
【０００９】
各溝１１Ａ〜１１Ｄの両脇あるいは底部には、貫通穴１３Ａ〜１３Ｄを形成する掛止部１２Ａ〜１２Ｆが対向平面１Ａ，１Ｂの間に架橋状に設けられている。特に、溝１１Ａの両脇には、貫通穴１３Ａを形成するよう掛止部１２Ａ，１２Ｂが設けられている。溝１１Ｂの底部には、貫通穴１３Ｂを形成するよう掛止部１２Ｂが設けられている。溝１１Ｃの底部には、貫通穴１３Ｃを形成するよう掛止部１２Ｃが設けられている。溝１１Ｄの両脇には、貫通穴１３Ｄを形成するよう掛止部１２Ｄが設けられている。
【００１０】
図１〜図４に示すように、ケーブル保持具１０は、正立使用状態において、溝１１Ｄが固定面９と対向するよう固定される。そして、溝１１Ａに載置されたケーブル８Ａが、貫通穴１３Ａに刺し通された結束バンド７Ａにより掛止部１２Ａ，１２Ｂと締め付けられて結束されケーブル保持具１０に固定される。また、溝１１Ｂに載置されたケーブル８Ｂが、貫通穴１３Ｂに刺し通された結束バンド７Ｂにより掛止部１２Ｃと締め付けられて結束されケーブル保持具１０に固定される。同じく、溝１１Ｃに載置されたケーブル８Ｃが、貫通穴１３Ｃに刺し通された結束バンド７Ｃにより掛止部１２Ｄと締め付けられて結束されケーブル保持具１０に固定される。
【００１１】
また、図５に示すように、ケーブル保持具１０は、倒立使用状態において、溝１１Ａが固定面９と対向するよう固定される。そして、溝１１Ｄに載置されたケーブル８Ｄが、貫通穴１３Ｄに刺し通された結束バンド７Ｄにより掛止部１２Ｅ，１２Ｆと締め付けられて結束されケーブル保持具１０に固定される。また、溝１１Ｂに載置されたケーブル８Ｂが、貫通穴１３Ｂに刺し通された結束バンド７Ｂにより掛止部１２Ｃと締め付けられて結束されケーブル保持具１０に固定される。同じく、溝１１Ｃに載置されたケーブル８Ｃが、貫通穴１３Ｃに刺し通された結束バンド７Ｃにより掛止部１２Ｄと締め付けられて結束されケーブル保持具１０に固定される。
【００１２】
なお、図６に示すように、ケーブル保持具１０を固定面９には固定せず、ケーブル同士を結束して固定するよう空中で使用してもよい。このような空中使用状態では、前述と同様に、各溝１１Ａ，１１Ｂ，１１Ｃ，１１Ｄに載置されたケーブル８Ａ，８Ｂ，８Ｃ，８Ｄが、それぞれ貫通穴１３Ａ，１３Ｂ，１３Ｃ，１３Ｄに刺し通された結束バンド７Ａ，７Ｂ，７Ｃ，７Ｄにより、掛止部１２Ａおよび１２Ｂ，１２Ｃ，１２Ｄ，１２Ｅおよび１２Ｆのそれぞれと締め付けられて結束されケーブル保持具１０に固定される。
【００１３】
このように、１個の成形体の対向平面１Ａ，１Ｂを除く周面に、対向平面１Ａ，１Ｂと交差する方向に互いに平行して溝１１Ａ〜１１Ｄを形成し、この成形体の内部に、各溝ごとに対向平面１Ａ，１Ｂと平行して当該溝を取り囲むように貫通穴１３Ａ〜１３Ｄをそれぞれ設け、個々の貫通穴１３Ａ〜１３Ｄに刺し通した結束バンド７Ａ〜７Ｄにより当該溝に保持されたケーブル８Ａ〜８Ｄを結束して固定するようにしたので、複数本の電線を同一のケーブル保持具で固定する場合でも、従来のようにすべての電線を１本の結束バンドで一括して固定する必要がなく、それぞれの溝に分散させて固定できる。したがって、固定が安定し、より多くの電線を固定できるとともに、異なる系統の電線を別々の作業で順に固定でき、１つのケーブル保持具で複数の電線を作業負担なく容易かつ安定して固定できる。
【００１４】
ケーブル保持具１０を正立使用状態でのみ使用する場合、固定面９と対向する溝１１Ｄが不要となる。また倒立使用状態でのみ使用する場合には、固定面９と対向する溝１１Ａが不要となる。したがって、溝は少なくとも３つ形成されていればよい。
なお、ケーブル保持具１０のうち対向平面１Ａ，１Ｂを除く、上下左右側面にそれぞれに合わせて４つの溝１１Ａ〜１１Ｄを設けたので、電線の固定状況に合わせてケーブル保持具１０の固定方向を選択でき、柔軟性を持たせることができる。
【００１５】
成形体の内部に形成される貫通穴１３Ａ〜１３Ｄは、対向する溝の貫通穴、すなわち貫通穴１３Ａ，１３Ｄと貫通穴１３Ｂ，１３Ｃとの組ごとに平行して、金型により形成されている。本実施の形態では、図２，図３に示したように、貫通穴１３Ａは、正立使用状態正面視において成形体の上部内側を左右に貫通するように設け、貫通穴１３Ｂ，１３Ｃについては、成形体の左右側部内側を底面から上方へ穿設し、その上端が貫通穴１３Ａの下側面で連通するよう設けている。また、貫通穴１３Ｄについては、正立使用状態正面視において成形体の下部内側を左右周面から貫通穴１３Ｂ，１３Ｃの側面で連通するよう穿設し、貫通穴１３Ｂ，１３Ｃの区間を成形体の下方へ開口させて形成している。
【００１６】
これにより、左右から組み合わせられる金型で貫通穴１３Ａ，１３Ｄを形成し、下方から組み合わせられる金型で貫通穴１３Ｂ，１３Ｃ，１３Ｄを形成することができる。また、成形体の角部については、対向平面１Ａ，１Ｂ間を穿設して各貫通穴１３Ａ〜１３Ｄの開口端を大きくし、それぞれ隣接する貫通穴同士で連通するように形成したので、それぞれの貫通穴１３Ａ〜１３Ｄへ結束バンド７Ａ〜７Ｄを容易に刺し通すことができる。
【００１７】
ケーブル保持具１０には、平面視において、対向平面１Ａ，１Ｂのほぼ中央位置に、ケーブル保持具１０を固定面９にネジ３Ａでネジ止めするための取り付け穴３が形成されている。この取り付け穴３は、正立使用状態において、貫通穴１３Ａより下方の位置から、貫通穴１３Ｄより上方の位置まで、対向する溝１１Ａ，１１Ｄおよび成形体内部を貫通して形成されている。取り付け穴３の開口端には穴の内径が段状に広がる段部３１，３２が設けられている。正立使用状態においては、段部３１によりネジ３Ａが係止され、倒立使用状態においては、段部３２によりネジ３Ａが係止される。
【００１８】
ケーブル保持具１０の固定方法については、ネジ止めに限定されるものではなく、貫通穴１３Ａ〜１３Ｄのいずれかに刺し通した結束バンドを用いて固定してもよい。図７に使用状態例（正立使用時）の斜視図を示す。ここでは、ケーブル保持具１０が、下部の貫通穴１３Ｄに刺し通された結束バンド７Ｄにより腕状（柱状）の固定部材９Ａの固定面９に固定されている。そして、これらケーブル保持具１０の上部の溝１１Ａには電線８Ａが載置され、結束バンド７Ａを用いて固定されている。これにより、ネジ止めし難い場所へも容易に電線を固定できる。
【００１９】
以上では、結束バンド用いて電線などのケーブルを固定する場合を例に説明したが、これに限定されるものではなく、結束バンドを用いて結束できる部材であれば、各種部材を固定する場合にも本発明を適用でき、同様の作用効果が得られる。
【００２０】
【発明の効果】
以上説明したように、本発明は、略直方体をなす１個の成形体の対向平面を除く上下左右周面に、対向平面と交差する方向に互いに平行して溝を形成し、この成形体の内部に、各溝ごとに対向平面と平行して当該溝を取り囲むように形成された貫通穴を、対向する溝の貫通穴同士で略平行となるようにそれぞれ設け、個々の貫通穴に刺し通した結束バンドにより当該溝に保持されたケーブルを結束して固定するようにしたので、１つのケーブル保持具で複数の電線を作業負担なく容易かつ安定して固定できる。
【図面の簡単な説明】
【図１】  本発明の一実施の形態によるケーブル保持具の斜視図（正立使用状態）である。
【図２】  ケーブル保持具の構成図（正立使用状態）である。
【図３】  ケーブル保持具の断面図（正立使用状態）である。
【図４】  ケーブル保持具の斜視図（正立使用状態）である。
【図５】  ケーブル保持具の断面図（倒立使用状態）である。
【図６】  ケーブル保持具の断面図（空中使用状態）である。
【図７】  正立使用状態例を示す斜視図である。
【図８】  従来のケーブル保持具の斜視図である。
【符号の説明】
１０ケーブル保持具、１Ａ，１Ｂ…対向平面、１１Ａ〜１１Ｄ…溝、１２Ａ〜１２Ｆ…掛止部、１３Ａ〜１３Ｄ…貫通穴、３…取り付け穴、３１，３２…段部、３Ａ…ネジ、７Ａ〜７Ｄ…結束バンド、８Ａ〜８Ｄ…電線、９…固定面、９Ａ…固定部材。
【図１】
0003957149.tif 000002
【図２】
0003957149.tif 000003
【図３】
0003957149.tif 000004
【図４】
0003957149.tif 000005
【図５】
0003957149.tif 000006
【図６】
0003957149.tif 000007
【図７】
0003957149.tif 000008
【図８】
0003957149.tif 000009